(57)【要約】      （修正有）【課題】焼却熱利用によりアルミニウムの溶解コストを低減させ、ＣＯ２を削減してアルミリサイクルを効率良く行う廃棄物焼却熱利用装置を提供する。【解決手段】廃棄物焼却熱利用装置１は、焼却炉２と、その下流側のアルミ溶解炉３と、焼却炉２とアルミ溶解炉３間に配設された再燃焼室４と、アルミ溶解炉３の下流側に配設されたサイクロン集塵器５と、水冷熱交換器６と、さらにその下流側に配設された減温塔７と、さらにその下流側に配設されたバグフィルタ８を主体として構成されている。【選択図】図１
0003145306.tif 000002
【実用新案登録請求の範囲】
【請求項１】
廃棄物を焼却する焼却炉と、該焼却炉で発生する焼却熱を利用してアルミニウムを溶解するアルミ溶解炉とを組み合わせて構成したことを特徴とする廃棄物焼却熱利用装置。
【請求項２】
前記焼却炉と前記アルミ溶解炉との間に再燃焼室を設けたことを特徴とする請求項１に記載の廃棄物焼却熱利用装置。
【請求項３】
前記再燃焼室で８５０℃以上の高温が得られるように構成した請求項２に記載の廃棄物焼却熱利用装置。
【請求項４】
前記焼却炉で焼却する廃棄物は主として廃プラスチックである請求項１または請求項２または請求項３に記載の廃棄物焼却熱利用装置。
【請求項５】
前記焼却炉には、内部へ廃油を噴霧し得る廃油噴霧部が設けられている請求項１または請求項２または請求項３または請求項４に記載の廃棄物焼却熱利用装置。
【請求項６】
前記アルミ溶解炉はアルミ溶解スパイラル炉であり、内部で主としてアルミスクラップを溶解するものであることを特徴とする請求項１または請求項２または請求項３または請求項４または請求項５に記載の廃棄物焼却熱利用装置。
【請求項７】
前記アルミ溶解炉の下流側には、集塵器が配設されていることを特徴とする請求項１または請求項２または請求項３または請求項４または請求項５または請求項６に記載の廃棄物焼却熱利用装置。
【考案の詳細な説明】
【技術分野】
【０００１】
本考案は、廃棄物の焼却により発生する焼却熱を利用してアルミニウムを溶解する廃棄物焼却熱利用装置に関するものである。
【背景技術】
【０００２】
従来、特許文献１に開示されているように、ゴミ焼却排熱を利用して発電を行うように構成した廃棄物焼却熱利用発電システムが存在する。
【特許文献１】特開平９−２０３３０５号公報
【考案の開示】
【考案が解決しようとする課題】
【０００３】
上記特許文献１に開示されているシステムでは、ゴミ焼却熱を利用して発電を行うものであり、焼却炉からの熱を蒸気タービンに導入して発電を行うものであった。
ところで近年においては、エンジン部品など多くの分野でアルミニウムが用いられており、このようなアルミ製エンジン部品等のスクラップなどは、アルミリサイクル業者により回収され、溶解されて、アルミニウムインゴットとして再利用することが行われているが、アルミのリサイクル過程において、アルミニウムを溶解するために多大なエネルギーが使用され、アルミのリサイクルにコストがかかってしまい、しかも、ＣＯ２を大量に発生させてしまうという問題点があった。
【課題を解決するための手段】
【０００４】
本考案は、アルミニウムの溶解コストを低減させて、アルミリサイクルを効率良く、しかもＣＯ２の発生を削減して行える廃棄物焼却熱利用装置の提供を目的とし、この目的の少なくとも一部を達成するために以下の手段を採った。
本考案の廃棄物焼却熱利用装置は、廃棄物を焼却する焼却炉と、該焼却炉で発生する焼却熱を利用してアルミニウムを溶解するアルミ溶解炉とを組み合わせて構成したことを要旨とする。
【考案の効果】
【０００５】
本考案の廃棄物焼却熱利用装置では、焼却炉で廃棄物を焼却し、発生する焼却熱を利用してアルミ溶解炉内でアルミニウムを溶解することができ、焼却熱を利用してアルミニウムを溶解するため、アルミニウムの溶解コストを低減させ、かつＣＯ２の発生を削減してアルミニウムのリサイクルを効率良く行うことができる。
【０００６】
また、本考案の廃棄物焼却熱利用装置において、前記焼却炉と前記アルミ溶解炉との間に再燃焼室を設けた構成とすることもできる。
こうすれば、再燃焼室で、焼却炉からの焼却熱を高温化させ、アルミ溶解炉へ供給することができる。
【０００７】
また、本考案の廃棄物焼却熱利用装置において、前記再燃焼室で８５０℃以上の高温が得られるように構成することもできる。
こうすれば、８５０℃以上の高温にて再燃焼室内で熱分解処理を行い、ダイオキシン類を抑制することができるものとなる。
【０００８】
また、本考案の廃棄物焼却熱利用装置において、前記焼却炉で焼却する廃棄物は主として廃プラスチックであるものとすることもできる。
こうすれば、廃プラスチックを良好に焼却処分することができ、しかも廃プラスチックの焼却により高温の焼却熱を持続的に得られるものとなる。
【０００９】
また、本考案の廃棄物焼却熱利用装置において、前記焼却炉には、内部へ廃油を噴霧し得る廃油噴霧部が設けられている構成とすることもできる。
こうすれば、別途廃油を回収して、廃油を焼却炉内に廃油噴霧部から噴霧させて、廃油を焼却炉内で良好に燃焼させることができる。
【００１０】
また、本考案の廃棄物焼却熱利用装置において、前記アルミ溶解炉はアルミ溶解スパイラル炉であり、内部で主としてアルミスクラップを溶解するものであるものとすることもできる。
こうすれば、アルミ溶解スパイラル炉内で効率良くアルミニウムのスクラップを溶解させることができる。
【００１１】
また、本考案の廃棄物焼却熱利用装置において、前記アルミ溶解炉の下流側には、集塵器が配設されている構成とすることもできる。
こうすれば、排出ガスがクリーンなものとなり、環境汚染を抑制できるものとなる。
【考案を実施するための最良の形態】
【００１２】
次に、本考案を実施するための最良の形態を実施例を用いて説明する。
図１は、廃棄物焼却熱利用装置の概略配置構成図であり、図２は、主要部のブロック構成図である。
【００１３】
廃棄物焼却熱利用装置１は、焼却炉２と、その下流側のアルミ溶解炉３と、焼却炉２とアルミ溶解炉３間に配設された再燃焼室４と、アルミ溶解炉３の下流側に配設されたサイクロン集塵器５と、水冷熱交換器６と、さらにその下流側に配設された減温塔７と、さらにその下流側に配設されたバグフィルタ８を主体として構成されている。
【００１４】
焼却炉２には、固形物投入機９が備えられており、図示しないピットから廃プラスチック類，木屑，紙屑，ゴム屑などの廃棄物が固形物投入機９に投入されて、この固形物投入機９から順次焼却炉２内に廃棄物が投入されて焼却されるものである。
焼却炉２には、着火用の着火バーナ１０と、内部に空気を導入する押込ファン１１と、図示しない廃油タンク内に溜められた廃油を導入して廃油を焼却炉２内に噴霧できる廃油噴霧部１２とが設けられ、上端の熱口２ａ側には再燃バーナ１３が設けられている。
【００１５】
なお、焼却炉２の下端側には排出口２ｂが設けられており、燃え殻がこの排出口２ｂから排出されるように構成されている。
焼却炉２内で、主として廃プラスチック類が焼却されることにより、高温の焼却熱が連続して上端の熱口２ａから再燃焼室４へ導入されるものである。この再燃焼室４内では、８５０℃以上の高温にて熱分解処理を行い、ダイオキシン類を抑制できるものである。
この再燃焼室４から出た８５０℃以上の高温の焼却熱はアルミ溶解炉３に導入され、アルミ溶解炉３内で、アルミ加工屑，アルミ缶，アルミ製エンジン部品等のアルミスクラップが高温の焼却熱を利用して溶解される。
【００１６】
なお、このアルミ溶解炉３は、例えば効率の良いアルミ溶解スパイラル炉で構成しておくことができる。
なお、さらにアルミ溶解炉３内での高温を維持するために補助バーナ３ａを備えておくこともできる。
アルミ溶解炉３内で溶解されたアルミスクラップ等は、アルミのインゴットとして取り出され、再びアルミ製品の製造に使用するためにアルミ原料として再利用されるものである。
【００１７】
アルミ溶解炉３の下流側にはサイクロン集塵器５が設けられ、さらにその下流側には水冷熱交換器６が設けられ、さらにその下流側にファン１４が設けられており、これらにより排出ガスをクリーンなものにすることができるものである。
【００１８】
なお、再燃焼室４からの排出ガスとファン１４を通った排出ガスが合流して、下流側に設けられた減温塔７内に流入される。この減温塔７には、減温水タンク７ａが付設されており、排出ガスを減温塔７内で２００℃以下まで急冷し、排出ガス中のダイオキシン類の再合成を防ぐように構成されている。
また、減温塔７の下流側のバグフィルタ８は、高性能フィルタを備え、サブミクロンの煤塵まで良好に除去することができるものであり、バグフィルタ８を通った排出ガスは極めてクリーンなものとなり、図示しない煙突等を通して大気に排出されるものである。
【００１９】
本例の廃棄物焼却熱利用装置１では、主として廃プラスチック類の高温を発する廃棄物を焼却炉２内で燃焼させて高温の焼却熱を発生させ、この焼却熱をアルミ溶解炉３内に導入して、アルミ溶解炉３内でエンジン部品等のアルミスクラップを溶解し、アルミインゴットを製造して、アルミ原料として再利用することができるものであり、アルミ溶解のためのコストを極めて低減させて、アルミニウムを効率良くリサイクルさせることができる。
【００２０】
このように、廃棄物を良好に処理できるとともにアルミニウムのリサイクルコストを低減させて効率良く行うことができ、廃棄物中間処理業とアルミリサイクル業を同時進行で効率化させて行うことができ、全体としてＣＯ２削減に貢献できるものである。
【図面の簡単な説明】
【００２１】
【図１】廃棄物焼却熱利用装置の概略配置構成図である。
【図２】廃棄物焼却熱利用装置の主要部分のブロック構成図である。
【符号の説明】
【００２２】
１  廃棄物焼却熱利用装置
２  焼却炉
２ａ  熱口
２ｂ  排出口
３  アルミ溶解炉
３ａ  補助バーナ
４  再燃焼室
５  集塵器
６  熱交換器
７  減温塔
７ａ  減温水タンク
８  バグフィルタ
９  固形物投入機
１０  着火バーナ
１１  押込ファン
１２  廃油噴霧部
１３  再燃バーナ
１４  ファン
【図１】
0003145306.tif 000003
【図２】
0003145306.tif 000004